(57)【要約】【課題】各家庭に舞い込んでくる紙媒体に印刷された情報を、紙媒体を使用することなく、簡易な作業で分類し、効率的な管理・保存を図ること。【解決手段】本発明の印刷物管理装置は、紙媒体に印刷されたイメージ情報を読み取る読み取り手段３０１、読み取ったイメージ情報を収納する収納手段３０２、前記イメージ情報に所定の分類情報を付加し編集するイメージ情報編集手段３０３、前記分類情報の入力および編集されたイメージ情報を表示するタッチパネル式ディスプレイ３０４、編集されたイメージ情報を格納する格納手段３０５、および編集されたイメージ情報を印刷する印刷手段３０６を含み構成される。【選択図】        図３
2005167904.tif 000002
【特許請求の範囲】
【請求項１】
印刷物のイメージ情報を読み取る読み取り手段と、
前記読み取り手段によって読み取られたイメージ情報に所定の分類情報を付加して編集するイメージ情報編集手段と、
編集されたイメージ情報を格納する格納手段と、
前記格納手段に格納されたイメージ情報を表示する表示手段と、
を備えたことを特徴とする印刷物管理装置。
【請求項２】
さらに、前記分類情報を入力する分類情報入力手段を備えたことを特徴とする請求項１に記載の印刷物管理装置。
【請求項３】
前記分類情報入力手段への前記分類情報の入力は、前記表示手段に表示されたボタンの押下、または所定の領域への必要事項の入力によっておこなうことを特徴とする請求項２に記載の印刷物管理装置。
【請求項４】
さらに、前記イメージ情報を印刷する印刷手段を備えたことを特徴とする請求項１〜３のいずれか一つに記載の印刷物管理装置。
【請求項５】
さらに、前記読み取り手段によって読み取られたイメージ情報を収納する収納手段を備えたことを特徴とする請求項１〜４のいずれか一つに記載の印刷物管理装置。
【請求項６】
前記イメージ情報編集手段は、前記分類情報に基づき、前記読み取り手段によって読み取られたイメージ情報を裁断する裁断手段を備えたことを特徴とする請求項１〜５のいずれか一つに記載の印刷物管理装置。
【請求項７】
前記イメージ情報編集手段は、前記裁断手段により裁断されたイメージ情報の内容を編集する編集手段を備えたことを特徴とする請求項６に記載の印刷物管理装置。
【請求項８】
前記編集手段は、前記裁断手段により裁断されたイメージ情報を所定の単位ごとに編集することを特徴とする請求項７に記載の印刷物管理装置。
【請求項９】
前記イメージ編集手段は、前記編集手段により編集されたイメージ情報に、前記分類情報入力手段によって入力された分類情報を付加する分類情報付加手段を備えたことを特徴とする請求項７または８に記載の印刷物管理装置。
【請求項１０】
さらに、ネットワークを介して他の印刷物管理装置との前記イメージ情報の送受信をおこなう通信手段を備えたことを特徴とする請求項１〜９のいずれか一つに記載の印刷物管理装置。
【請求項１１】
前記分類情報は、前記イメージ情報を読み取る前に入力されることを特徴とする請求項２〜１０のいずれか一つに記載の印刷物管理装置。
【請求項１２】
前記分類情報は、前記イメージ情報を読み取った後に入力されることを特徴とする請求項２〜１０のいずれか一つに記載の印刷物管理装置。
【請求項１３】
前記分類情報は、前記イメージ情報の編集日時に関する情報、前記イメージ情報の所有者に関する情報、前記イメージ情報のジャンル（種類・種別）に関する情報および前記イメージ情報のタイトルに関する情報の少なくともいずれか一つを含むことを特徴とする請求項１〜１２のいずれか一つに記載の印刷物管理装置。
【請求項１４】
印刷物のイメージ情報を読み取るイメージ情報読み取り工程と、
読み取ったイメージ情報に所定の分類情報を付加し編集するイメージ情報編集工程と、
編集されたイメージ情報を格納するイメージ情報格納工程と、
格納されたイメージ情報を画像表示する表示工程と、
を含むことを特徴とする印刷物管理方法。
【請求項１５】
前記イメージ情報編集工程は、
所定の分類情報を設定する分類情報設定工程と、
前記分類情報設定工程で設定された分類情報に基づき、前記イメージ情報を裁断するイメージ情報裁断工程と、
前記イメージ情報裁断工程で裁断されたイメージ情報の内容を編集するイメージ情報編集工程と、
前記イメージ情報編集工程で編集されたイメージ情報に、前記分類情報設定工程で設定された分類情報を付加する分類情報付加工程と、
を含むことを特徴とする請求項１４に記載の印刷物管理方法。
【請求項１６】
前記イメージ情報編集工程は、前記イメージ情報裁断工程で裁断されたイメージ情報を所定の単位ごとに編集することを特徴とする請求項１５に記載の印刷物管理方法。
【請求項１７】
さらに、前記編集されたイメージ情報を印刷する印刷工程を含むことを特徴とする請求項１４〜１６のいずれか一つに記載の印刷物管理方法。
【請求項１８】
前記分類情報は、前記イメージ情報の編集日時に関する情報、前記イメージ情報の所有者に関する情報、前記イメージ情報のジャンル（種類・種別）に関する情報および前記イメージ情報のタイトルに関する情報の少なくもいずれか一つを含むことを特徴とする請求項１４〜１７のいずれか一つに記載の印刷物管理方法。
【請求項１９】
請求項１４〜１８のいずれか一つに記載の印刷物管理方法をコンピュータに実行させることを特徴とする印刷物管理プログラム。
【発明の詳細な説明】
【技術分野】
【０００１】
本発明は、新聞、雑誌、広告等の紙媒体に印刷されたイメージ情報を取得し、そのイメージ情報に所定の分類情報を付加し管理・保存する印刷物管理装置、印刷物管理方法、および印刷物管理プログラムに関する。
【背景技術】
【０００２】
今日、多くの情報が各家庭に舞い込んでくる。そこで、どの情報を捨て、どの情報を管理・保存しておくかの判断が必要になる。各家庭に舞い込んでくる情報の多くは、新聞、雑誌、ダイレクトメール等の紙媒体に印刷されたものであるため、家の中が散らかりやすく、情報の整理にはこまめなファイリング等の作業が必要になる。
【発明の開示】
【発明が解決しようとする課題】
【０００３】
しかしながら、情報が印刷された紙媒体は、大きさや形状がまちまちであるため、ファイリングには大変手間がかかり、情報整理が一向に進まない。また、情報が紙媒体に印刷されているので、保存する情報が多くなればなるほどファイルも多くなり、ファイルの保管場所にも広いスペースが必要となる。さらに、ファイリングされた情報を必要とする人が家庭内に複数いたりすれば、ただ単純に情報が印刷された紙媒体をファイリングすればよいというわけにはいかず、ファイリングにも工夫が必要となり、情報整理のためにさらなる時間を要することになる。
【０００４】
本発明は、上述した従来技術による問題点を解消するため、各家庭に舞い込んでくる紙媒体に印刷された情報を、紙媒体を使用することなく、簡易な作業で分類し、効率的に管理・保存することが可能な印刷物管理装置、印刷物管理方法、および印刷物管理プログラムを提供することを目的とする。
【課題を解決するための手段】
【０００５】
上述した課題を解決し、目的を達成するため、請求項１の発明にかかる印刷物管理装置は、印刷物のイメージ情報を読み取る読み取り手段と、前記読み取り手段によって読み取られたイメージ情報に所定の分類情報を付加して編集するイメージ情報編集手段と、編集されたイメージ情報を格納する格納手段と、前記格納手段に格納されたイメージ情報を表示する表示手段と、を備えたことを特徴とする。
【０００６】
この請求項１に記載の発明によれば、家庭に舞い込んでくる紙媒体に印刷された情報を、紙媒体を使用することなく、簡易な作業で分類し、効率的に管理・保存することができる。
【０００７】
また、請求項２の発明にかかる印刷物管理装置は、請求項１に記載の発明において、さらに、前記分類情報を入力する分類情報入力手段を備えたことを特徴とする。
【０００８】
この請求項２に記載の発明によれば、ユーザがイメージ情報を管理するための分類情報を設定することができる。
【０００９】
また、請求項３にかかる印刷物管理装置は、請求項２に記載の発明において、前記分類情報入力手段への前記分類情報の入力は、前記表示手段に表示されたボタンの押下、または所定の領域への必要事項の入力によっておこなうことを特徴とする。
【００１０】
この請求項３に記載の発明によれば、分類情報の入力を表示手段からおこなえるため、別途キーボード等の入力手段を設ける必要がなく、装置のコンパクト化を図ることができる。
【００１１】
また、請求項４にかかる印刷物管理装置は、請求項１〜３のいずれか一つに記載の発明において、さらに、前記イメージ情報を印刷する印刷手段を備えたことを特徴とする。
【００１２】
この請求項４に記載の発明によれば、編集済みのイメージ情報の印刷ができる。
【００１３】
また、請求項５にかかる印刷物管理装置は、請求項１〜４のいずれか一つに記載の発明において、さらに、前記読み取り手段によって読み取られたイメージ情報を収納する収納手段を備えたことを特徴とする。
【００１４】
この請求項５に記載の発明によれば、最初に読み取ったイメージ情報全部を保存しておくことができるので、イメージ情報の再編集が可能になる。
【００１５】
また、請求項６にかかる印刷物管理装置は、請求項１〜５のいずれか一つに記載の発明において、前記イメージ情報編集手段は、前記分類情報に基づき、前記読み取り手段によって読み取られたイメージ情報を裁断する裁断手段を備えたことを特徴とする。
【００１６】
この請求項６に記載の発明によれば、読み取ったイメージ情報の要不要を判別し、不要な情報を削除することができる。
【００１７】
また、請求項７にかかる印刷物管理装置は、請求項６に記載の発明において、前記イメージ情報編集手段は、前記裁断手段により裁断されたイメージ情報の内容を編集する編集手段を備えたことを特徴とする。
【００１８】
この請求項７に記載の発明によれば、裁断されたイメージ情報を編集することができる。
【００１９】
また、請求項８にかかる印刷物管理装置は、請求項７に記載の発明において、前記編集手段は、前記裁断手段によって裁断されたイメージ情報を所定の単位ごとに編集することを特徴とする。
【００２０】
この請求項８に記載の発明によれば、特に新聞や雑誌等の記事をイメージ情報として読み取る場合に、記事の単位ごとに編集することができる。
【００２１】
また、請求項９にかかる印刷物管理装置は、請求項７または８に記載の発明において、前記イメージ編集手段は、前記編集手段により編集されたイメージ情報に、前記分類情報入力手段によって入力された分類情報を付加する分類情報付加手段を備えたことを特徴とする。
【００２２】
この請求項９に記載の発明によれば、編集したイメージ情報に、当該情報を効率的に管理するための分類情報を付加することができる。
【００２３】
また、請求項１０にかかる印刷物管理装置は、請求項１〜９のいずれか一つに記載の発明において、さらに、ネットワークを介して他の印刷物管理装置との前記イメージ情報の送受信をおこなう通信手段を備えたことを特徴とする。
【００２４】
この請求項１０に記載の発明によれば、ネットワークを介して他の装置との間でデータの送受信が可能になる。
【００２５】
また、請求項１１にかかる印刷物管理装置は、請求項２〜１０のいずれか一つに記載の発明において、前記分類情報は、前記イメージ情報を読み取る前に入力されることを特徴とする。
【００２６】
この請求項１１に記載の発明によれば、分類情報の入力をイメージ情報の読み取り前におこなうことができる。
【００２７】
また、請求項１２にかかる印刷物管理装置は、請求項２〜１０のいずれか一つに記載の発明において、前記分類情報は、前記イメージ情報を読み取った後に入力されることを特徴とする。
【００２８】
この請求項１２に記載の発明によれば、分類情報の入力をイメージ情報の読み取り後におこなうことができる。
【００２９】
また、請求項１３にかかる印刷物管理装置は、請求項１〜１２のいずれか一つに記載の発明において、前記分類情報は、前記イメージ情報の編集日時に関する情報、前記イメージ情報の所有者に関する情報、前記イメージ情報のジャンル（種類・種別）に関する情報および前記イメージ情報のタイトルに関する情報の少なくともいずれか一つを含むことを特徴とする。
【００３０】
この請求項１３に記載の発明によれば、編集されたイメージ情報にその編集日時に関する情報を、編集されたイメージ情報にその所有者に関する情報を、編集されたイメージ情報にそのジャンル（種類・種別）に関する情報を、編集されたイメージ情報にそのタイトルに関する情報をそれぞれ付加することができる。
【００３１】
また、請求項１４にかかる印刷物管理方法は、印刷物のイメージ情報を読み取るイメージ情報読み取り工程と、読み取ったイメージ情報に所定の分類情報を付加し編集するイメージ情報編集工程と、編集されたイメージ情報を格納するイメージ情報格納工程と、格納されたイメージ情報を画像表示する表示工程と、を含むことを特徴とする。
【００３２】
この請求項１４に記載の発明によれば、家庭に舞い込んでくる紙媒体に印刷された情報を、紙媒体を使用することなく、簡易な作業で分類し、効率的に管理・保存することができる。
【００３３】
また、請求項１５にかかる印刷物管理方法は、請求項１４に記載の発明において、前記イメージ情報編集工程は、所定の分類情報を設定する分類情報設定工程と、前記分類情報設定工程で設定された分類情報に基づき、前記イメージ情報を裁断するイメージ情報裁断工程と、前記イメージ情報裁断工程で裁断されたイメージ情報の内容を編集するイメージ情報編集工程と、前記イメージ情報編集工程で編集されたイメージ情報に、前記分類情報設定工程で設定された分類情報を付加する分類情報付加工程と、を含むことを特徴とする。
【００３４】
この請求項１５に記載の発明によれば、読み込んだイメージ情報を、簡易な操作で分類し、効率的に管理・保存することができる。
【００３５】
また、請求項１６にかかる印刷物管理方法は、請求項１５に記載の発明において、前記イメージ情報編集工程は、前記イメージ情報裁断工程で裁断されたイメージ情報を所定の単位ごとに編集することを特徴とする。
【００３６】
この請求項１６に記載の発明によれば、特に新聞や雑誌等の記事をイメージ情報として読み取る場合に、記事の単位ごとに編集することができる。
【００３７】
また、請求項１７にかかる印刷物管理方法は、請求項１４〜１６のいずれか一つに記載の発明において、さらに、前記編集されたイメージ情報を印刷する印刷工程を含むことを特徴とする。
【００３８】
この請求項１７に記載の発明によれば、編集されたイメージ情報を印刷することができる。
【００３９】
また、請求項１８にかかる印刷物管理方法は、請求項１４〜１７のいずれか一つに記載の発明において、前記分類情報は、前記イメージ情報の編集日時に関する情報、前記イメージ情報の所有者に関する情報、前記イメージ情報のジャンル（種類・種別）に関する情報および前記イメージ情報のタイトルに関する情報の少なくもいずれか一つを含むことを特徴とする。
【００４０】
この請求項１８に記載の発明によれば、編集されたイメージ情報にその編集日時に関する情報を、編集されたイメージ情報にその所有者に関する情報を、編集されたイメージ情報にそのジャンル（種類・種別）に関する情報を、編集されたイメージ情報にそのタイトルに関する情報をそれぞれ付加することができる。
【００４１】
また、請求項１９にかかる印刷物管理プログラムは、請求項１４〜１８のいずれか一つに記載の印刷物管理方法をコンピュータに実行させることを特徴とする。
【００４２】
この請求項１９に記載の発明によれば、請求項１４〜１８のいずれか一つに記載の印刷物管理方法をコンピュータに実行させることができる。
【発明の効果】
【００４３】
本発明にかかる印刷物管理装置、印刷物管理方法、および印刷物管理プログラムによれば、各家庭に舞い込んでくる紙媒体に印刷された情報を、紙媒体を使用することなく、簡易な作業で分類し、効率的に管理・保存することができるという効果を奏する。
【発明を実施するための最良の形態】
【００４４】
以下に添付図面を参照して、本発明にかかる印刷物管理装置、印刷物管理方法、および印刷物管理プログラムの好適な実施の形態を詳細に説明する。
【００４５】
（発明の概念）
図１は、本発明の概念を説明するための説明図である。本発明は、家庭に舞い込んでくる紙媒体に印刷された情報１０１を印刷物管理装置１００に取り込み、その情報を管理・保管するものである。この印刷物管理装置１００では、取り込んだ情報１０１に所定の分類情報を付加して編集し、管理・保管する。ユーザは、印刷物管理装置１００で保管されている情報が必要な場合、適宜、印刷物管理装置１００に内蔵（または接続）されているディスプレイ１０２に当該情報を表示させ閲覧する。
【００４６】
また、プリンタ１０３によりディスプレイ１０２に表示された画像を印刷する。印刷物管理装置１００が情報１０１を取り込む場合、紙媒体に印刷されている情報１０１のみを取り込むため、印刷物管理装置１００では情報１０１の管理・保管に紙媒体を必要としない。したがって、情報整理の過程で紙媒体が氾濫するようなことはない。また、紙媒体をファイリングすることによる煩雑な作業がなく、簡易な作業で情報の管理・保管が可能になる。
【００４７】
さらに、図２に示すように、印刷物管理装置１００にネットワーク（インターネットや電話回線等）２００に接続可能な通信手段（不図示）を設ければ、ネットワーク２００を介して他の印刷物管理装置１００やパソコン２０１、モバイル機器２０２、携帯電話２０３等とのデータの送受信が可能になる。これにより、紙媒体に印刷された情報のみならず、他の情報機器からの情報の取得も可能になる。
【００４８】
（印刷物管理装置の機能的構成）
次に、本発明の実施の形態にかかる印刷物管理装置の機能的構成について説明する。図３は、この印刷物管理装置の機能的構成を示す説明図である。この印刷物管理装置１００は、読み取り手段３０１、収納手段３０２、イメージ情報編集手段３０３、タッチパネル式ディスプレイ３０４、格納手段３０５、および印刷手段３０６を含み構成される。なお、特に図示していないが、この印刷物管理装置１００は前記各手段を制御する制御手段を備えている。
【００４９】
この印刷物管理装置１００では、まず、読み取り手段３０１で紙媒体に印刷されたイメージ情報を読み取り、読み取ったイメージ情報を収納手段３０２に収納する。紙媒体に印刷されたイメージ情報としては、新聞や雑誌、広告、チラシ、学校からのお知らせ等の記事、写真、イラスト等を想定している。次に、収納手段３０２に格納されているイメージ情報が読み出され、イメージ情報編集手段３０３で編集される。イメージ情報編集手段３０３は、裁断手段３０３ａ、編集手段３０３ｂ、および分類情報付加手段３０３ｃを含み構成されている。
【００５０】
裁断手段３０３ａは、タッチパネル式ディスプレイ３０４から入力された所定の分類情報に基づき、前記イメージ情報を裁断する。具体的には、どの情報を残し、どの情報を削除するかを決定し、実行する。そして、編集手段３０３ｂは、裁断されたイメージ情報を編集する。例えば、イメージ情報が新聞や雑誌の記事である場合は、記事単位で編集する。分類情報付加手段３０３ｃは、編集されたイメージ情報にタッチパネル式ディスプレイ３０４から入力された分類情報を付加する。分類情報には、当該イメージ情報の所有者名やジャンル（種類・種別）名、タイトル名、編集日時等が含まれている。このため、分類情報付加手段３０３ｃにおいて、編集されたイメージ情報に当該情報の所有者名、ジャンル名、タイトル名、編集日時等の情報を付加し、後の情報管理を容易にすることができる。また、読み取りと同時に裁断することができ、その場合に、読み取りと同時に裁断するかどうかについては、操作者に選択させ、その選択に基づいて実行するようにしてもよい。
【００５１】
分類情報が付加されたイメージ情報は、格納手段３０５に格納される。ユーザが格納手段３０５に格納されているイメージ情報を閲覧したい場合には、当該イメージ情報をタッチパネル式ディスプレイ３０４に表示することができる。また、当該イメージ情報を印刷したい場合には、印刷手段３０６から出力することができる。この場合、タッチパネル式ディスプレイ３０４に表示されたイメージ情報が出力される。なお、この印刷物管理装置１００では、読み取り手段３０１で読み取ったイメージ情報はすべて収納手段３０２に保存されるため、後日必要があれば、収納手段３０２に保存されているイメージ情報を読み出し、そのイメージ情報を再編集することが可能である。また、前記分類情報は、イメージ情報を読み取る前に設定するようにしてもよい。
【００５２】
さらに、印刷物管理装置１００に通信手段３０７を設ければ、他の情報通信機器等との間でネットワーク２００を介してイメージ情報のやり取りが可能になる。
【００５３】
（印刷物管理装置のハードウェア構成）
次に、本発明の実施の形態にかかる印刷物管理装置のハードウェア構成について説明する。図４は、この印刷物管理装置のハードウェア構成を示す説明図である。この印刷物管理装置１００は、ＣＰＵ４０１、ＲＯＭ４０２、ＲＡＭ４０３、ＨＤＤ（ハードディスクドライブ）４０４、ＨＤ（ハードディスク）４０５、ＦＤＤ（フレキシブルディスクドライブ）４０６、タッチパネル式ディスプレイ４０７、ネットワークボード４０８、スキャナ４０９、プリンタ４１０、およびディスクドライブ４１１が、バス４１２によって接続され構成されている。
【００５４】
ＣＰＵ４０１は、装置全体を制御し、また図３に示したイメージ情報編集手段３０３の役割を担う。ＲＯＭ４０２には、基本入出力プログラムが記憶されている。ＲＡＭ４０３は、ＣＰＵ４０１のワークエリアとして使用される。ＨＤＤ４０４は、ＣＰＵ４０１の制御にしたがってＨＤ４０５に対するデータのリード／ライトの制御をおこなう。ＨＤ４０５は、ＨＤＤ４０４の制御にしたがって書き込まれたデータを記憶する。ＦＤＤ４０６は、ＣＰＵ４０１の制御にしたがってＦＤ（フレキシブルディスク）４１３に対するデータのリード／ライトの制御をおこなう。ＦＤ４１３は、着脱自在になっており、ＦＤＤ４０６の制御にしたがって書き込まれたデータ記憶する。
【００５５】
タッチパネル式ディスプレイ４０７では、カーソル、メニュー、ウインドウ、あるいは文字や画像等の各種データの表示と、各種情報の入力をおこなう。ネットワークボード４０８は、通信ケーブル４１４を介してネットワーク２００に接続され、このネットワーク２００とＣＰＵ４０１とのインターフェース（Ｉ／Ｆ）として機能する。スキャナ４０９は、文字や画像の光学的な読み取りをおこなう。プリンタ４１０は、ＣＰＵ４０１の制御にしたがって文字や画像の印刷をおこなう。ディスクドライブ４１１は、着脱可能な記憶媒体であるＣＤ／ＤＶＤディスク４１５に対するデータのリードを制御する。
【００５６】
（印刷物管理処理の手順）
次に、本発明の印刷物管理装置を用いた印刷物管理処理の手順について説明する。図５は、この印刷物管理処理の手順を示すフローチャートである。まず、読み取り手段３０１から紙媒体に印刷されたイメージ情報の取得（読み取り）をする（ステップＳ５０１）。次に、読み取ったイメージ情報を収納手段３０２に収納する（ステップＳ５０２）。そして、イメージ情報編集手段３０３が、収納手段３０２から読み出されたイメージ情報に所定の分類情報を付加し編集する（ステップＳ５０３）。編集されたイメージ情報を格納手段３０５に格納する（ステップＳ５０４）。
【００５７】
（イメージ情報編集処理の手順）
次に、イメージ情報編集処理（図５に示したステップＳ５０３）の手順について詳細に説明する。図６は、このイメージ情報編集処理の手順を示すフローチャートである。まず、収納手段３０２に格納されているイメージ情報が読み出される（ステップＳ６０１）。次に、裁断手段３０３ａが、ユーザの設定した分類情報に基づき、前記イメージ情報を裁断する（ステップＳ６０２）。ここでは、どの情報が必要で、どの情報が不要であるかが決定され、不要な情報は削除される。
【００５８】
続いて、編集手段３０３ｂが、裁断されたイメージ情報を編集する（ステップＳ６０３）。ここでは、特に新聞や雑誌等の記事をイメージ情報として読み取る場合には、記事の単位ごとに編集することができる。最後に、分類情報付加手段３０３ｃが、編集されたイメージ情報に前記分類情報を付加する（ステップＳ６０４）。分類情報としては、例えば編集したイメージ情報のジャンル（種類・種別）名やタイトル名、イメージ情報の所有者名、編集日時等である。
【００５９】
（イメージ情報編集までのユーザの操作手順）
次に、イメージ情報編集までのユーザの操作手順について説明する。図７は、この場合のユーザ操作手順を示すフローチャートである。まず、ユーザは、タッチパネル式ディスプレイ３０４に表示される、図８に示す初期画面８００の「読み取り開始」ボタン８０１を押下し、イメージ情報の読み取り開始を指定する（ステップＳ７０１）。すると、読み取り手段３０１にセットされた紙媒体に印刷されたイメージ情報の読み取りが開始され、タッチパネル式ディスプレイ３０４に図９に示すような情報所有者指定画面（分類情報設定用）９００が表示される。
【００６０】
ユーザは、情報所有者指定画面（分類情報設定用）９００において、自分の名前が付されたボタンが表示されているか否かを確認する（ステップＳ７０２）。自分の名前が付されたボタンが表示されていない場合（ステップＳ７０２：Ｎｏ）は、ステップＳ７０３へ進む。自分の名前が付されたボタンが表示されている場合（ステップＳ７０２：Ｙｅｓ）は、ステップＳ７０４へ進む。
【００６１】
ステップＳ７０２において、自分の名前が付されたボタンが表示されていない場合（ステップＳ７０２：Ｎｏ）は、ユーザは、新しい所有者のフォルダを作成する（ステップＳ７０３）。具体的には、情報所有者指定画面（分類情報設定用）９００の「新規作成」ボタン９０２を押下して、タッチパネル式ディスプレイ３０４に図１０に示すような情報入力画面１０００を表示させる。この情報入力画面１０００には、読み取ったイメージ情報の所有者名を入力する「所有者」入力領域１００１、読み取ったイメージ情報のジャンル（種類・種別）名を入力する「ジャンル」入力領域１００２、読み取ったイメージ情報のタイトル名を入力する「タイトル」入力領域１００３、読み取ったイメージ情報の編集日時を入力する「編集日時」入力領域１００４等、各情報を入力するための領域が設定されている。
【００６２】
そして、ユーザは、前記各入力領域に必要な情報を入力し、「完了」ボタン１００５を押下して（ステップＳ７０５）、処理を終了する。この操作により、今後、情報所有者指定画面（分類情報設定用）９００や後述するジャンル指定画面（分類情報設定用）１１００等を表示する場合に、当該所有者名やジャンル名が付されたボタンが表示されることになる。なお、「編集日時」入力領域１００４には、編集処理をおこなった日時が自動的に入力されるので、日時変更の必要がある場合以外は、その領域の操作は不要である。
【００６３】
一方、ステップＳ７０２において、自分の名前が付されたボタンが表示されている場合（ステップＳ７０２：Ｙｅｓ）は、情報所有者指定画面（分類情報設定用）９００の該当するボタン（例えば、「一郎」ボタン９０１）を押下する（ステップＳ７０４）。すると、図１１に示すように情報の所有者名が付されたジャンル指定画面（分類情報設定用）１１００が表示されるので、ユーザは、ジャンル指定画面（分類情報設定用）１１００に、読み取ったイメージ情報に該当するジャンルが付されたボタンが表示されているか否かを確認する（ステップＳ７０６）。
【００６４】
該当するジャンルが付されたボタンが表示されている場合（ステップＳ７０６：Ｙｅｓ）は、当該ジャンルのボタン（例えば「新聞」ボタン１１０１）を押下する（ステップＳ７０７）。すると、図１２に示すような情報入力画面１０００が表示されるので、空欄となっている「タイトル」入力領域１００３にのみ該当する情報を入力し、「完了」ボタン１００５を押下して（ステップＳ７０８）、処理を終了する。該当するジャンルが付されたボタンが表示されていない場合（ステップＳ７０６：Ｎｏ）は、「新規作成」ボタン１１０２を押下する（ステップＳ７０９）。すると、図１３に示すような情報入力画面１０００が表示されるので、空欄となっている「ジャンル」入力領域１００２および「タイトル」入力領域１００３にのみ該当する情報を入力し、「完了」ボタン１００５を押下して（ステップＳ７１０）、処理を終了する。
【００６５】
このように、ステップＳ７０１〜ステップＳ７１０の工程を経ることによって、読み取るイメージ情報に付加する分類情報の設定が完了する。そして、これらの工程によって設定された分類情報は、前述したステップＳ６０３およびステップＳ６０４の工程に反映される。なお、ここでは、イメージ情報を読み取った後に分類情報を設定したが、先に分類情報の設定をおこなうようにしてもよい。
【００６６】
（イメージ情報出力処理の手順）
次に、イメージ情報出力処理について説明する。図１４は、イメージ情報出力処理の手順を示すフローチャートである。まず、ユーザは、図８に示した初期画面８００が表示された状態で「画像表示」ボタン８０２を押下して、画像表示を指定する（ステップＳ１４０１）。すると、図１５に示すような情報所有者指定画面（画像表示用）１５００が表示されるので、該当するボタン（例えば、「一郎」ボタン１５０１）を押下する（ステップＳ１４０２）。続いて、図１６に示すようなジャンル指定画面（画像表示用）１６００が表示されるので、ユーザは表示を希望するジャンル名が付されたボタン（例えば、「新聞」ボタン１６０１）を押下して、表示を希望するジャンルを指定する（ステップＳ１４０３）。
【００６７】
続いて、図１７に示すようなタイトル指定画面１７００が表示されるので、ユーザは表示を希望するタイトル名が付されたボタン（例えば、「○○優勝関連記事」ボタン１７０１）を押下して、表示を希望するタイトルを指定する（ステップＳ１４０４）。すると、図１８に示すようなイメージ情報画像表示画面１８００が現れ、希望したタイトルのイメージ画像が表示される。次に、ユーザは、表示されたイメージ情報を印刷するか否かを決定する（ステップＳ１４０５）。イメージ情報を印刷する場合（ステップＳ１４０５：Ｙｅｓ）は、イメージ情報画像表示画面１８００の「印刷」ボタン１８０１を押下（印刷指定）して（ステップＳ１４０６）、イメージ画像の印刷をおこなう。イメージ画像を印刷しない場合（ステップＳ１４０５：Ｎｏ）は、イメージ情報画像表示画面１８００の「終了」ボタン１８０２を押下（終了指定）して（ステップＳ１４０７）、処理を終了する。
【００６８】
なお、イメージ情報画像表示画面１８００では、図示したように、画面の脇に他の所有者名が付されたフォルダも表示されるようになっている。したがって、該当する所有者のフォルダを指定することで、他の者が所有するイメージ情報を表示・印刷することができる。また、各所有者ごとにパスワード等を設定することで、自分の情報を他人に見られないようにすることも可能である。
【００６９】
以上説明したように、本発明の印刷物管理装置、印刷物管理方法、および印刷物管理プログラムによれば、簡易な操作で、紙媒体に印刷されたイメージ情報を取り込み、分類し、効率的に整理・管理することができる。しかも、その管理には紙媒体を用いる必要がないため、情報を収集するほど紙の量が増え、その保管場所に悩むということはない。また、膨大な情報であっても、それに詳細な分類情報を付加することができるため、一台の装置を複数のユーザで共用することができる。さらに、最初に取り込まれたイメージ情報はすべてそのまま保存されるので、イメージ情報の再編集も可能である。なお、この実施の形態では、紙媒体に印刷されたイメージ情報を取得し、管理・保存する手法を示したが、紙媒体に限らず、例えば合成樹脂等に印刷されたイメージ情報を取得し、管理・保存することも可能である。
【００７０】
なお、本実施の形態で説明した印刷物管理方法は、あらかじめ用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【産業上の利用可能性】
【００７１】
以上のように、本発明にかかる印刷物管理装置、印刷物管理方法、および印刷物管理プログラムは、膨大な情報の効率的な管理に有用であり、特に、紙媒体に印刷されたイメージ情報の管理に適している。
【図面の簡単な説明】
【００７２】
【図１】本発明の概念を説明するための説明図である。
【図２】本発明の印刷物管理装置を用いたネットワーク構成の一例を示す説明図である。
【図３】本発明の実施の形態にかかる印刷物管理装置の機能的構成を示す説明図である。
【図４】本発明の実施の形態の印刷物管理装置のハードウェア構成を示す説明図である。
【図５】印刷物管理処理の手順を示すフローチャートである。
【図６】イメージ情報編集処理の手順を示すフローチャートである。
【図７】イメージ情報編集までのユーザの操作手順を示すフローチャートである。
【図８】イメージ情報編集処理において表示される初期画面の一例を示す説明図である。
【図９】イメージ情報編集処理において表示される情報所有者指定画面（分類情報設定用）の一例を示す説明図である。
【図１０】イメージ情報編集処理において表示される情報入力画面の一例を示す説明図である。
【図１１】イメージ情報編集処理において表示されるジャンル指定画面（分類情報設定用）の一例を示す説明図である。
【図１２】イメージ情報編集処理において表示される情報入力画面の一例を示す説明図である。
【図１３】イメージ情報編集処理において表示される情報入力画面の一例を示す説明図である。
【図１４】イメージ情報出力処理の手順を示すフローチャートである。
【図１５】イメージ情報出力処理において表示される情報所有者指定画面（画像表示用）の一例を示す説明図である。
【図１６】イメージ情報出力処理において表示されるジャンル指定画面（画像表示用）の一例を示す説明図である。
【図１７】イメージ情報出力処理において表示されるタイトル指定画面の一例を示す説明図である。
【図１８】イメージ情報出力処理において表示されるイメージ情報画像表示画面の一例を示す説明図である。
【符号の説明】
【００７３】
１００  印刷物管理装置
１０１  情報
１０２  ディスプレイ
１０３  プリンタ
２００  ネットワーク
２０１  パソコン
２０２  モバイル機器
２０３  携帯電話
３０１  読み取り手段
３０２  収納手段
３０３  イメージ情報編集手段
３０３ａ  裁断手段
３０３ｂ  編集手段
３０３ｃ  分類情報付加手段
３０４，４０７  タッチパネル式ディスプレイ
３０５  格納手段
３０６  印刷手段
３０７  通信手段
４０１  ＣＰＵ
４０２  ＲＯＭ
４０３  ＲＡＭ
４０４  ＨＤＤ（ハードディスクドライブ）
４０５  ＨＤ（ハードディスク）
４０６  ＦＤＤ（フレキシブルディスクドライブ）
４０８  ネットワークボード
４０９  スキャナ
４１０  プリンタ
４１１  ディスクドライブ
４１２  バス
４１３  ＦＤ（フレキシブルディスク）
４１４  通信ケーブル
４１５  ＣＤ／ＤＶＤディスク
８００  初期画面
８０１  「読み取り開始」ボタン
８０２  「画像表示」ボタン
９００  情報所有者指定画面（分類情報設定用）
９０１，１５０１  「一郎」ボタン
９０２，１１０２  「新規作成」ボタン
１０００  情報入力画面
１００１  「所有者」入力領域
１００２  「ジャンル」入力領域
１００３  「タイトル」入力領域
１００４  「編集日時」入力領域
１００５  「完了」ボタン
１１００  ジャンル指定画面（分類情報設定用）
１１０１，１６０１  「新聞」ボタン
１５００  情報所有者指定画面（画像表示用）
１６００  ジャンル指定画面（画像表示用）
１７００  タイトル指定画面
１７０１  「○○優勝関連記事」ボタン
１８００  イメージ情報画像表示画面
１８０１  「印刷」ボタン
１８０２  「終了」ボタン
【図１】
2005167904.tif 000003
【図２】
2005167904.tif 000004
【図３】
2005167904.tif 000005
【図４】
2005167904.tif 000006
【図５】
2005167904.tif 000007
【図６】
2005167904.tif 000008
【図７】
2005167904.tif 000009
【図８】
2005167904.tif 000010
【図９】
2005167904.tif 000011
【図１０】
2005167904.tif 000012
【図１１】
2005167904.tif 000013
【図１２】
2005167904.tif 000014
【図１３】
2005167904.tif 000015
【図１４】
2005167904.tif 000016
【図１５】
2005167904.tif 000017
【図１６】
2005167904.tif 000018
【図１７】
2005167904.tif 000019
【図１８】
2005167904.tif 000020